(57)【要約】      （修正有）【課題】着物本体の下縁側に取り付けられる裏地が、裏地付き着物本来の装飾性を損なうことなく、着物本体に対して容易に着脱可能とされる着物を提供する。【解決手段】着物は、着物本体１０と、着物本体の下縁側の裏面に、全域に亘って取り付けられる裏地５０と、を備える。裏地は、その下縁が着物本体の下縁よりも下方に突出するふき７５を形成するように着物本体に対して配置され、取着部材３３（スライドファスナー）を利用して着物本体に着脱可能に取り付けられる。【選択図】図１
0003230374.tif 000002
【実用新案登録請求の範囲】
【請求項１】
着物本体と、前記着物本体を展開した状態における下縁側の裏面に、左右方向の全域に亘って取り付けられる裏地と、を備える着物であって、
前記裏地は、
その下縁が前記着物本体の下縁よりも下方に突出するふきを形成するように前記着物本体に対して配置されて、
取着部材を利用して前記着物本体に着脱可能に取り付けられる
ことを特徴とする着物。
【請求項２】
前記着物本体における着用時に上側となる上前側の衿下部と、前記裏地における前記上前側の衿下部に対応する衿下対応縁部と、を連結する前記取着部材が、スライドファスナーから構成され、
前記スライドファスナーが、
前記着物本体側に設けられる第一務歯チェーンと、前記裏地側に設けられる第二務歯チェーンと、前記第一務歯チェーンと前記第二務歯チェーンとの務歯列相互を噛合及び分離させるスライダーと、を備え、前記第一務歯チェーンと前記第二務歯チェーンとが、完全に分離可能に構成され、
着用時に外側から視認可能に、前記衿下部から突出するように配置される
ことを特徴とする、請求項１に記載の着物。
【請求項３】
前記第一務歯チェーンが、前記着物本体における前記上前側の衿下部からその務歯列が突出するように設けられ、
前記裏地の衿下対応縁部が、前記第一務歯チェーンの務歯列よりもさらに前記衿下部から突出するように設けられ、
前記第二務歯チェーンが、その務歯列が前記第一務歯チェーンの務歯列と対向して噛合するように、前記衿下対応縁部から前記衿下部側に反転する態様で前記衿下対応縁部に取り付けられる
ことを特徴とする請求項２に記載の着物。
【請求項４】
前記スライダーが、引手を前記スライドファスナーの裏面側に移動させることができるリバーシブルスライダーとして構成されていることを特徴とする、請求項２または請求項３に記載の着物。
【請求項５】
前記スライドファスナーが、前記裏地を前記着物本体から取り外した際に、前記スライダーが前記着物本体側に残らないように構成されることを特徴とする、請求項２乃至請求項４のいずれかに記載の着物。
【考案の詳細な説明】
【技術分野】
【０００１】
本考案は少なくとも下縁（裾）側に、着脱可能な裏地を設けた着物に関する。
【背景技術】
【０００２】
着物に設けられる裏地は、主に、胴裏と呼ばれる、着物本体の上端側に配置される部分と、八掛あるいは裾回しと呼ばれる、着物本体の下縁（裾）側、詳しくは、着物本体の下縁から上方に６０ｃｍ程度までの領域に配置される部分と、から構成される。
【０００３】
着物の裏地には、保温性を高める、着用時の滑りを良くする、着物本体の生地を保護して摩耗を防止する、等の役割があるが、着物の下縁側に取り付けられる部分である八掛は、着物本体の下縁（裾）から数ｍｍから１ｃｍ程度下方に突出するように取り付けられるもので、この突出した部分（「ふき」と呼ばれる）が着用時に外側から見え、また、着用者の動作に伴って着物の下縁側がめくれた際にも見える部分であることから、装飾的な意味においても大きな役割を果たすものである。
【０００４】
胴裏と異なり、着用時に外側から見えて装飾性を発揮する八掛に対しては、着物の着方の応用性を高めるべく、着物を着る時期、場所、機会に応じて取り替えたいという要請が当然生まれるが、胴裏を含めた着物の裏地は、着物本体に対して縫合されているため、取り換えるためには、細心の注意を払いつつ古い裏地の縫合部位をほどき、新しい八掛を着物本体に対し縫着し直す必要があった。すなわち、裏地の交換作業は、通常は、プロの職人に委託する必要があるものであり、着用者自身では容易にできないものであった。
【０００５】
着物の裏地を容易に交換できる着物は、特許文献１において提案されている。特許文献１に記載された着物は、上衣部と下衣部に分かれた二部式のもので、下衣部の裏面の略全体に亘って、止着部により着脱可能とされた裏地が配置されていた。
【０００６】
しかしながら、この裏地は、着物の保温性を調節可能とすることを目的として着脱可能に設けられたものであって、着物本体の下縁から下方に突出する「ふき」を形成するように設けられたものではないため、従来の裏地付き着物と比べて装飾性において劣るものであった。
【先行技術文献】
【特許文献】
【０００７】
【特許文献１】実用新案登録第３１８１９２０号公報
【考案の概要】
【考案が解決しようとする課題】
【０００８】
本考案は、上述した問題を解決するものであり、着物本体の下縁側に取り付けられる裏地が、裏地付き着物本来の装飾性を損なうことなく、着物本体に対して容易に着脱可能とされる着物を提供することを目的とする。
【課題を解決するための手段】
【０００９】
本考案に係る着物は、着物本体と、着物本体を展開した状態における下縁側の裏面に、左右方向の全域に亘って取り付けられる裏地と、を備える着物であって、裏地が、その下縁が着物本体の下縁よりも下方に突出するふきを形成するように着物本体に対して配置されて、取着部材を利用して着物本体に着脱可能に取り付けられることを特徴とする。
【００１０】
この構成によれば、着物本体に対して特別な技術や手間を要せず簡易に着脱できる裏地が、着物本体の下縁（裾）から見えるふきを形成できるため、従来の裏地付き着物が有する装飾性を犠牲にせず、着物を着る時期、場所、機会に応じて裏地を取り換えることができ、着物の着方の応用性を高めることができる。また、裏地を取り外した状態で着ることもでき、さらに着方の応用性を高めることができる。
【００１１】
上述した着物においては、
着物本体における着用時に上側となる上前側の衿下部と、裏地における上前側の衿下部に対応する衿下対応縁部と、を連結する前記取着部材を、スライドファスナーにより構成し、
このスライドファスナーを、
着物本体側に設けられる第一務歯チェーンと、裏地側に設けられる第二務歯チェーンと、第一務歯チェーンと第二務歯チェーンとの務歯列相互を噛合及び分離させるスライダーと、を備え、第一務歯チェーンと第二務歯チェーンとが完全に分離可能とされる構成とし、
着用時に外側から視認可能に、衿下部から突出するように配置する、
とした構成としてもよい。
【００１２】
この構成によれば、スライドファスナーが外から見えるように設けられるため、スライドファスナーを、裏地を着物本体に取り付ける取着部材としてだけではなく、装飾性を発揮する部分としても機能させることができる。
【００１３】
また上述の着物では、
第一務歯チェーンを、着物本体における上前側の衿下部からその務歯列が突出するように設け、
裏地の衿下対応縁部を、第一務歯チェーンの務歯列よりもさらに衿下部から突出するように設け、
第二務歯チェーンを、その務歯列が第一務歯チェーンの務歯列と対向して噛合するように、衿下対応縁部から衿下部側に反転する態様で衿下対応縁部に取り付ける
ことが望ましい。
【００１４】
この構成によれば、スライドファスナーを、着物本体から延長する態様で、着物本体に対し平らに、広い領域を外側から視認可能とさせるように設けることができるため、装飾的効果を最大限に発揮させることができる。また、着物本体に対し平らに設けることで、着心地も損なわない。
【００１５】
上述した着物において、スライドファスナーのスライダーを、その引手をスライドファスナーの裏面側に移動させることができるリバーシブルスライダーとして構成すれば、裏地を取り付けた着物本体の着用時に、スライダーの引手を、スライドファスナーの裏面側に移動させて隠すことができるため、着物の外観を、引手の見えない、すっきりとしたものとすることができる。
【００１６】
また、上述した着物において、スライドファスナーを、裏地を着物本体から取り外した際に、スライダーが着物本体側に残らないような構成とすれば、裏地を取り外した状態で着る際にも、外観が、スライダーのないすっきりとしたものとなる。
【図面の簡単な説明】
【００１７】
【図１】本実施形態の着物の、下前側である右前身頃側を開いた状態を示す正面図である。
【図２】本実施形態の着物の下縁側を展開した状態における着物本体の裏面側と、八掛の表面側を示す図である。
【図３】着物本体の下縁側を展開した状態の裏面側を示す図である。
【図４】図２のＩＶ−ＩＶ部分を示す断面図である。
【図５】八掛の背面図である。
【図６】図１における着物の上前側である左側の衿下部を示す部分拡大図である。
【図７】図６のＶＩＩ−ＶＩＩ部分を示す断面図である。
【考案を実施するための形態】
【００１８】
以下に本考案の望ましい実施形態を図面に基づいて説明する。
【００１９】
着物Ｋは、着用者の胴体から脚にかけてを覆う部位であり、着物Ｋの表地を構成する着物本体１０と、着物本体１０に連結される左右一対の袖部５Ｌ，５Ｒと、着物本体１０の下縁１０ｂ側の裏面１０ｃに取り付けられる裏地としての八掛５０と、を備える。
【００２０】
なお、本明細書における前後，左右及び上下の方向は、着用者からみた前後，左右，及び上下の方向をいう。
【００２１】
図１から図３に示すように、着物本体１０は、右後身頃１１，左後身頃１２，右前身頃１３，左前身頃１４，右前身頃１３の先端側に隣接する右衽（おくみ）１５及び左前身頃１４の先端側に隣接する左衽１６を備え、これらの部位に対応する右後身頃基材２１，左後身頃基材２２，右前身頃基材２３，左前身頃基材２４，右衽基材２５及び左衽基材２６を、左右方向に並列させた状態で連結（縫合）して形成されている。図１から図３に示すように、右後身頃１１，左後身頃１２，右前身頃１３，左前身頃１４，右衽１５及び左衽１６は、いずれも、後述する裏地５０が配置される着物本体１０の下縁１０ｂまで延設されている。着物本体１０における、右衽１５から，右前身頃１３，右後身頃１１，左後身頃１２，左前身頃１４を経て左衽１６までの上縁１０ａには、衿部３が連結されている。
【００２２】
図４に示すように、着物本体１０の下縁１０ｂは、上述した着物本体１０を構成する基材２１，２２，２３，２４，２５，２６を、裏面１０ｃ側に三つ折り縫いする端末処理をされて形成されている。
【００２３】
図３に示すように、着物本体１０におけるいわゆる衿下部１０ｄ，１０ｅ、言い換えれば、衿部３の下側において上下方向に延びる、着物本体１０を展開した状態における左右の縁部１０ｄ，１０ｅ（さらに言い換えれば、左衽１６と右衽１５における、左右の前身頃１４，１３とは反対側の縁部（先端部）１６ａ，１５ａ）には、それぞれ、後述する、裏地としての八掛５０を着物本体１０に取り付けるための取着部材としてのスライドファスナー３３を構成する一方側の務歯チェーンである第一務歯チェーン３５が取り付けられている。具体的には、本実施形態では、図３と図７とに示すように、左右の衿下部１０ｄ，１０ｅは、長尺帯状の端末処理部材２８が、連結代（縫い代）を外に出さない態様で左衽１６と右衽１５との先端部１６ａ，１５ａ（すなわち、衿下部１０ｄ，１０ｅ）の裏面１６ｂ，１５ｂに、先端部１６ａ，１５ａに沿って上下方向の全域に亘って連結されて端末処理されており、第一務歯チェーン３５は、左右の衽基材２６，２５のそれぞれと端末処理部材２８との間に挟みこまれる態様で、端末処理部材２８と共に、着物本体１０に連結（縫合）され、衿下部１０ｄ，１０ｅの略全長に亘って配置されている。また、左右の衿下部１０ｄ，１０ｅにおいて、各第一務歯チェーン３５は、図３と図７に示すように、その務歯列３５ａが、左右の衽１６，１５の先端部１６ａ，１５ａ（すなわち、衿下部１０ｄ，１０ｅ）から突出する態様で、着物本体１０に対し取り付けられている。
【００２４】
また、着物本体１０の裏面１０ｃ側において、上述した、三つ折りによる端末処理をされた着物本体１０の下縁１０ｂと、右後身頃基材２１，左後身頃基材２２，右前身頃基材２３，左前身頃基材２４，右衽基材２５及び左衽基材２６を連結した連結代１８とには、八掛５０を着物本体に取り付けるための取着部材としてのスナップボタン３１の雌部３１ａが複数、取り付けられている。具体的には、下縁１０ｂに沿った複数箇所（実施形態では５箇所）と、左衽基材２６と左前身頃基材２４間，左前身頃基材２４と左後身頃基材２２間，左後身頃基材２２と右後身頃基材２１間、右後身頃基材２１と右前身頃基材２３間及び右前身頃基材２３と右衽基材２５間の各連結代１８とに、スナップボタン３１の雌部３１ａが取り付けられている。右前身頃基材２３と右衽基材２５間及び左衽基材２６と左前身頃基材２４間の各連結代１８には、後述する八掛５０の形状に応じ、上下に２個ずつ、スナップボタン３１の雌部３１ａが取り付けられている。
【００２５】
左右一対の袖部５Ｌ，５Ｒは、着物本体１０の上端１０ｆ側における、右前身頃１３と右後身頃１１との境界部位と、左前身頃１４と左後身頃１２との境界部位と、にそれぞれ連結されている。
【００２６】
なお、本実施形態では、着物本体１０と左右の袖部５Ｌ，５Ｒとは、インディゴブルー色の綿製のデニム生地により形成されている。
【００２７】
裏地としての八掛５０は、図１及び図２に示すように、着物本体１０を展開した状態における下縁（裾）１０ｂ側の裏面１０ｃに、左右方向の全域に亘って、すなわち、左衽１６，左前身頃１４，左後身頃１２，右後身頃１１，右前身頃１３及び右衽１５の全てに亘って配置されるものであり、着物本体１０の裏面１０ｃと対向する面を裏面５０ｄとし、その反対側の面（図１及び図２において見える面）を、意匠面５０ｅを有する表面５０ｃとする。
【００２８】
図２及び図５に示すように、本実施形態の八掛５０は、着物本体１０の裏面１０ｃにおける左衽１６と右衽１５との部位に配置される裏左衽部５６及び裏右衽部５５と、左前身頃１４から左後身頃１２，右後身頃１１を経て右前身頃１３までの部位に配置される裏身頃部５４と、を備える。裏左衽部５６と裏右衽部５５とはそれぞれ、上下方向の長さを、着物本体１０の左衽１６と右衽１５における、着物本体１０の下縁１０ｂから衿部３の下端３ｂ（図２）近傍までを覆う長さとする略長方形部位に形成され、裏身頃部５４は、上下方向の長さを、裏左衽部５６及び裏右衽部５５よりも短い、着物本体１０の下縁１０ｂから上方に６０ｃｍ程度までの領域を覆う長さとした略長方形に形成されている。八掛５０は、裏身頃部５４の左右両側に、裏左衽部５６と裏右衽部５５とが連結された形状とされている。本実施形態の八掛５０では、裏身頃部５４が、着物本体１０の左前身頃１４，左後身頃１２，右後身頃１１及び右前身頃１３に対応する裏左前基材６４，裏左後基材６２、裏右後基材６１及び裏右前基材６３の４つの基材を連結して構成されているが、裏身頃部５４の構成はこれに限らず、左側と右側とで二分割した２枚の基材を連結して構成したり、１枚の基材から構成したりしてもよい。
【００２９】
八掛５０の下縁５０ｂ側は、図４に示すように、上述した八掛５０を構成する各基材６６，６４，６２，６１，６３，６５を、着物本体１０の裏面１０ｃと対向する側である裏面５０ｄ側に三つ折り縫いする端末処理をされて形成されており、下縁５０ｂ側の裏面５０ｄにも意匠面５０ｅが設けられる構成とされている。そして、八掛５０は、図１及び図４に示すように、下縁５０ｂが着物本体１０の下縁１０ｂより数ｍｍから１ｃｍ程度下方に突出するようにして着物本体１０に取り付けられる。こうして、着用時に着物本体１０の下縁１０ｂから、八掛５０の下縁５０ｂにおける裏面５０ｄの意匠面５０ｅを外側から視認可能に突出させてなる「ふき」７５が形成される。また、本実施形態では、後述するように、裏左衽部５６と裏右衽部５５とは、着物本体１０に取り付けられた際に、着物本体１０の表側から見て、衿下部１０ｄ，１０ｅに対応する先端側の縁部、すなわち衿下対応縁部５０ｆ，５０ｇが、着物本体１０における衿下部１０ｄ，１０ｅにおいて、衿下部１０ｄ，１０ｅから突出するように配置される第一務歯チェーン３５の務歯列３５ａから、ふき７５を形成する下縁部５０ｂも含めて、さらに１ｃｍ程度突出するように、その左右方向の幅が設定されている（図１，図２，図６及び図７）。なお、図６及び図７は、左右の衿下部１０ｄ，１０ｅを代表して、上前側となる左側の衿下部１０ｄにおける構成を示している。
【００３０】
なお本実施形態では、八掛５０は、インディゴブルー色のデニム生地からなる着物本体１０とは対照的な、赤色系統の綿製の生地から形成されている。
【００３１】
この八掛５０は、取着部材としてのスナップボタン３１と、スライドファスナー３３と、を利用して、着物本体１０に対して着脱可能に取り付けられる。
【００３２】
スナップボタン３１は雌部３１ａと雄部３１ｂとから構成され、図２，３及び５に示すように、その雄部３１ｂが、八掛５０の上縁５０ａに沿った複数個所（実施形態では、７箇所）と、下縁５０ｂに沿った複数個所（実施形態では５箇所）に設けられ、上述したように、着物本体１０の基材２１，２２，２３，２４，２５，２６の連結代１８と、下縁１０ｂと、に設けられた雌部３１ａと嵌合する。
【００３３】
スライドファスナー３３は、相互に噛合する多数の務歯列３５ａ，３７ａをそれぞれ備えた一対の第一務歯チェーン３５及び第二務歯チェーン３７と、第一務歯チェーン３５と第二務歯チェーンと３７との務歯列３５ａ，３７ａを噛合及び分離させるスライダー３９と、を備える。第一務歯チェーン３５と第二務歯チェーン３７とはそれぞれ、帯状部材からなるテープ部３５ｂ，３７ｂに、合成樹脂製の務歯列３５ａ，３７ａが射出成形されてなる。上述したように、第一務歯チェーン３５が、着物本体１０の左右の衿下部１０ｄ，１０ｅに取り付けられ、第二務歯チェーン３７が、衿下部１０ｄ，１０ｅに対応する八掛５０の衿下対応縁部５０ｆ，５０ｇに取り付けられる。
【００３４】
本実施形態のスライドファスナー３３は、八掛５０を着物本体１０から着脱可能に取り付けるために、第一務歯チェーン３５と第二務歯チェーン３７とが完全に分離可能に構成される、いわゆるオープンエンド型に構成されている。具体的には、図１，３，５及び６に示すように、スライドファスナー３３は、下端部３３ｂに、第一務歯チェーン３５と第二務歯チェーン３７とを完全に分離可能とするための開離嵌挿具４０を備える。開離嵌挿具４０は、スライダー３９が設けられるのと同じ務歯チェーン側に配置される箱体４０ａと、それとは反対側の務歯チェーン側に配置されて、スライドファスナー３３の閉時に箱体４０ａに嵌挿される蝶棒４０ｂと、を備える。本実施形態では、図５に示すように、スライダー３９と開離嵌挿具４０の箱体４０ａとが、八掛５０側の第二務歯チェーン３７側に設けられ、蝶棒４０ｂが、図３に示すように、着物本体１０側の第一務歯チェーン３５に設けられている。スライドファスナー３３の閉操作時には、まず八掛５０側の第二務歯チェーン３７側において、スライダー３９を引き下げて開離嵌挿具４０の箱体４０ａに当接させ、着物本体１０側の第一務歯チェーン３５の下端部３５ｃに設けられた蝶棒４０ｂを、スライダー３９を介して箱体４０ａに嵌挿すれば、スライダー３９を引き上げることができ、図６に示すように、スライドファスナー３３を閉めて、八掛５０を着物本体１０に取り付けることができる。スライドファスナー３３の開操作時には、図１に示す、八掛５０が着物本体１０に取り付けられた状態から、スライダー３９を開離嵌挿具４０の箱体４０ａに当接するまで引き下げ、着物本体１０側の第一務歯チェーン３５に設けられる蝶棒４０ｂをスライダー３９を介して箱体４０ａから抜くと、第一務歯チェーン３５と第二務歯チェーン３７とが完全に分離し、八掛５０を着物本体１０から取り外せる構成としている。スライダー３９は、八掛５０側の第二務歯チェーン３７に配置されるため、この時、着物本体１０側には残らない。
【００３５】
より具体的には、スライドファスナー３３における第一務歯チェーン３５は、着物本体１０の左右の衿下部１０ｄ，１０ｅ、すなわち衿部３の下側において上下方向に延びる着物本体１０の左右の縁部１０ｄ，１０ｅ、に、上下の略全長に亘って取り付けられている。本実施形態では、上述したように、第一務歯チェーン３５が、その務歯列３５ａが左右の衿下部１０ｄ，１０ｅから突出する態様で、着物本体１０に対し取り付けられている。第一務歯チェーン３５の下端部３５ｃに、上述したように開離嵌挿具４０の蝶棒４０ｂが設けられている。そして他方側の第二務歯チェーン３７は、図５に示すように、着物本体１０の衿下部１０ｄ，１０ｅに対応する八掛５０の左右の衿下対応縁部５０ｆ，５０ｇのそれぞれに、上下の略全長に亘って取り付けられている。詳しくは、上述したように、八掛５０は、衿下対応縁部５０ｆ，５０ｇが、着物本体１０の表側から見て、衿下部１０ｄ，１０ｅから突出するように配置される第一務歯チェーン３５の務歯列３５ａから、ふき７５を形成する下縁部５０ｂも含めて、さらに突出するように構成されており（図２及び図６）、第二務歯チェーン３７は、図６及び７に示すように、そのように構成された衿下対応縁部５０ｆ，５０ｇのそれぞれから、その務歯列３７ａが着物本体１０側（衿下部１０ｄ，１０ｅ側）に向くように、前記着物本体１０側（衿下部１０ｄ，１０ｅ側）に反転する態様で衿下対応縁部５０ｆ，５０ｇに取り付けられ、務歯列３７ａが、着物本体１０の衿下部１０ｄ，１０ｅから突出している第一務歯チェーン３５の務歯列３５ａと噛合するように構成されている。そしてこの第二務歯チェーン３７の下端部３７ｃに、開離嵌挿具４０の箱体４０ａが設けられている。すなわち、着物本体１０に八掛５０を取り付けるスライドファスナー３３は、着物Ｋの着用時に外側から視認可能に、衿下部１０ｄ，１０ｅから突出するように設けられている。
【００３６】
また、第一務歯チェーン３５と第二務歯チェーン３７との務歯列３５ａ，３７ａを噛合及び分離させるスライダー３９は、図６に示すように、引手３９ａを、表面３９ｄから上端部３９ｂを経由して裏面３９ｅに至るまでの領域に設けられる回転レール３９ｆに沿ってスライドファスナー３３の裏面３３ｃ側に移動させることができる周知の構成のいわゆるリバーシブルスライダーとして構成されている。これにより、八掛５０を取り付けた着物本体１０の着用時に、スライダー３９の引手３９ａを、スライドファスナー３３の裏面３３ｃ側に回転移動させて隠すことができる。
【００３７】
なお、本実施形態では、着物本体１０側に設けられる第一務歯チェーン３５として、テープ部３５ｂ及び務歯列３５ａとを、着物本体１０のインディゴブルー色に近似した紺色としたものを用い、八掛５０側に設けられる第二務歯チェーン３７として、テープ部３７ｂ，務歯列３７ａ及びスライダー３９とを、赤色系統の八掛５０と近似した赤色としたものを用いて、スライドファスナー３３の第一務歯チェーン３５と第二務歯チェーン３７の色を相互に異ならせている。
【００３８】
上述のように構成された着物Ｋでは、着物本体１０の下縁１０ｂ側の裏面１０ｃに取り付けられる裏地としての八掛５０が、その下縁５０ｂが着物本体１０の下縁１０ｂよりも下方に突出するふき７５を形成するように着物本体１０に対して配置されて、取着部材を利用して着脱可能に取り付けられる。この構成によれば、着物本体１０に対して特別な技術や手間を要せず簡易に着脱できる裏地５０が、着物本体１０の下縁（裾）１０ｂから見えるふき７５を形成できるため、従来の裏地付き着物が有する装飾性を備えたまま、着物を着る時期、場所、機会に応じて裏地５０を取り換えることができ、着物の着方の応用性を高めることができる。また、裏地５０を取り外せば、着物本体１０を、裏地のついていない単衣（ひとえ）の着物として着ることもでき、さらに着方の応用性を高めることができる。
【００３９】
また、本実施形態の着物Ｋでは、着物本体１０における、着用時に上側となる上前側の衿下部１０ｄにおいて、衿下部１０ｄと、裏地５０における衿下部１０ｄと対応する衿下対応縁部５０ｆと、を連結する取着部材が、スライドファスナー３３から構成されている。スライドファスナー３３は、着物本体１０側に設けられる第一務歯チェーン３５と、裏地５０側に設けられる第二務歯チェーン３７と、第一務歯チェーン３５と第二務歯チェーン３７との務歯列３５ａ，３７ａ相互を噛合及び分離させるスライダー３９と、を備え、第一務歯チェーン３５と第二務歯チェーン３７とが、完全に分離可能に構成されており、また、着用時に外側から視認可能に、衿下部１０ｄから突出するように配置されている。
【００４０】
この構成では、スライドファスナー３３が、外から見えるように設けられるため、スライドファスナー３３を、裏地５０を着物本体１０に取り付ける取着部材としてだけではなく、装飾性を発揮する部分としても機能させることができる。本実施形態では、スライドファスナー３３における着物本体１０側に設けられる第一務歯チェーン３５を着物本体１０の色と近似した紺色のものとし、裏地５０側に設けられる第二務歯チェーン３７を、赤色系統の裏地５０に近似した赤色のものとしているため、着物Ｋの着用時に、着用者の正面において、インディゴブルー色の着物本体１０に対し、第二務歯チェーン３７とふき７５とで、上前側の衿下部１０ｄから着物Ｋの下縁１０ｂにかけて赤色のＬ字型のラインを描くような効果を生むことができ、着物Ｋの装飾性を高めることができる。スライドファスナー３３を外から見えるように配置することによる装飾的効果は、第一務歯チェーンと第二務歯チェーンとの色調を相互に異ならせることによってのみならず、スライドファスナーを、第一務歯チェーンと第二務歯チェーンとを同じ色調として、例えば、金属製または金属調の務歯を使用するものとしたり、特殊な形状の務歯を使用するものとしたり等、様々な構成にすることよっても、発揮させることができる。しかしながら、このような効果が所望されないのであれば、着物本体１０における上前側の衿下部１０ｄと裏地５０の衿下対応縁部５０ｆと、を連結する取着部材は、必ずしも外から見えるようなスライドファスナー３３から構成する必要はなく、衿下部１０ｄから突出しないように配置されるスライドファスナーや、裏地５０の上縁５０ａ等を着物本体１０に取着するのに使用されるのと同じスナップボタン３１のほか、面ファスナー、ボタン構造等、裏地５０を着物本体１０に対して着脱可能とする任意のものを使用してもよい。
【００４１】
なお、本実施形態では、着物は左右対称の構造を有するという慣習にしたがい、着物本体１０の左右の衿下部１０ｄ，１０ｅの両方において、衿下部１０ｄ，１０ｅから突出するように配置されるスライドファスナー３３を使用して裏地５０を着物本体１０に取り付けている。しかしながら、下前側、すなわち右側の衿下部１０ｅは、着用時、左前身頃１４に覆われて見えない部分となるので、少なくとも着用時に上側となる左の衿下部１０ｄにおいて、スライドファスナー３３を衿下部１０ｄから突出するように配置すれば、上述した装飾的効果は奏せられる。その場合、下前側となる右側の衿下部１０ｅに裏地５０の衿下対応縁部５０ｇを取り付ける取着部材には、衿下部１０ｅから突出しないように配置されるスライドファスナーや、裏地５０の上縁５０ａ等を着物本体１０に取着するのに使用されるのと同じスナップボタン３１のほか、面ファスナー、ボタン構造等、裏地５０を着物本体１０に対して着脱可能とする任意のものを使用することができる。
【００４２】
上前側（左側）の衿下部１０ｄにおいて、外側から視認可能にスライドファスナー３３を衿下部１０ｄから突出するように配置するためには、本実施形態におけるように、第一務歯チェーン３５を、着物本体１０における衿下部１０ｄからその務歯列３５ａが突出するように設け、裏地５０の衿下対応縁部５０ｆを、第一務歯チェーン３５の務歯列３５ａよりもさらに衿下部１０ｄから突出するように設け、第二務歯チェーン３７を、その務歯列３７ａが第一務歯チェーン３５の務歯列３５ａと対向して噛合するように、衿下対応縁部５０ｆから衿下部１０ｄ側に反転する態様で衿下対応縁部５０ｆに取り付けるとよい。この構成によれば、スライドファスナー３３を、着物本体１０から延長する態様で、着物本体１０に対し平らに、広い領域を外側から視認可能とさせるように設けることができるため、装飾的効果を最大限に発揮させることができる。また、着物本体１０に対し平らに設けることで、着心地も損なわない。
【００４３】
また本実施形態の着物Ｋでは、着物本体１０の衿下部１０ｄと裏地５０の衿下対応縁部５０ｆとを着脱可能に連結するスライドファスナー３３のスライダー３９が、引手３９ａを、スライドファスナー３３の裏面３３ｃ側に移動させることができるいわゆるリバーシブルスライダーとして構成されているため、裏地５０を取り付けた着物本体１０の着用時に、スライダー３９の引手３９ａを、スライドファスナー３３の裏面３３ｃ側に回転移動させて隠すことができるため、着物Ｋの外観を、引手３９ａの見えない、すっきりとしたものとすることができる。
【００４４】
さらに本実施形態の着物Ｋでは、着物本体１０の衿下部１０ｄと裏地５０の衿下対応縁部５０ｆとを着脱可能に連結するオープンエンド型のスライドファスナー３３において、スライダー３９と開離嵌挿具４０の箱体４０ａとが、裏地５０側の第二務歯チェーン３７に設けられることにより、裏地５０を着物本体１０から取り外した際に、スライダー３９が裏地５０側に残り、着物本体１０側に残らないように構成されている。これによれば、裏地５０を取り外した着物本体１０を単衣の着物として着る際にも、スライダー３９のないすっきりとした外観とすることができる。
【００４５】
なお、本実施形態においては、着物本体１０の衿下部１０ｄ，１０ｅと裏地５０の衿下対応縁部５０ｆ，５０ｇとを着脱可能に連結するスライドファスナー３３を、下端部３３ｂに開離嵌挿具４０を備えるオープンエンド型のものとして説明したが、裏地５０を着脱可能に、第一務歯チェーン３５と第二務歯チェーン３７とが完全に分離可能としたものであれば、上止具や下止具あるいは開離嵌挿具４０を使用せず、第一務歯チェーン３５，第二務歯チェーン３７及びスライダー３９が全く分離したものとして、使用の都度組み合わせるタイプのスライドファスナーを、本実施形態のスライドファスナーとして使用してもよい。その場合でも、裏地５０を着物本体１０から取り外した場合に、スライダー３９が、第一務歯チェーン３５と第二務歯チェーン３７とから完全に分離するため、着物本体１０に残らない。
【００４６】
本実施形態においては、裏地５０の上縁５０ａ側や下縁５０ｂ側を着物本体１０に取り付ける取着部材としてスナップボタン３１が使用されているが、これについても、スナップボタン３１の他、面ファスナーやボタン構造等、裏地５０を着物本体１０に対して着脱可能とする任意のものを使用することができる。
【００４７】
なお本実施形態では、裏地５０を、裏左衽部５６と裏右衽部５５とが、着物本体１０の下縁１０ｂから衿部３の下端３ｂ近傍までを覆う上下方向の長さとし、裏身頃部５４が、裏左衽部５６及び裏右衽部５５よりも短い長さとする構成としたが、裏地の形状及び長さは、これに限るものではない。例えば、実施形態における裏身頃部５４の長さを延長して、裏左衽部５６と裏右衽部５５と同じ長さとしてもよい。着物本体１０の下縁１０ｂよりも下方に突出するふき７５を形成できるのであれば、裏地の着物本体１０の下縁１０ｂからの長さを部分的にあるいは全体的に、さらに上方に延長した構成としてもよい。
【００４８】
本実施形態においては、着物本体１０及び裏地５０を構成する各基材２１，２２，２３，２４，２５，２６，６６，６４，６２，６１，６３，６５の連結は、縫合によるものとして説明した。また、着物本体１０と裏地５０との下縁１０ｂ，５０ｂ側の端末処理も、三つ折り縫いによるものとして説明した。しかしながらこれらの連結及び端末処理作業は、縫合に限られるものではなく、接着剤や、接着テープ等の接着部材等の使用によっても行える。
【００４９】
また本実施形態では、着物本体１０と裏地５０とを綿生地製として説明したが、着物本体と裏地との素材は言うまでもなくこれに限るものではなく、絹，麻，毛，合成繊維製等の織布，不織布，あるいは和紙等の紙地も、着物本体や裏地の生地として使用できる。
【００５０】
また本実施形態の着物Ｋは、着物本体１０の上端側に設けられる裏地である胴裏を備えないものとして説明したが、本考案は、胴裏を備えた着物にも適用可能である。
【符号の説明】
【００５１】
１０…着物本体，１０ｂ…下縁，１０ｃ…裏面，１０ｄ…衿下部，３１…取着部材（スナップボタン），３３…取着部材（スライドファスナー），３３ｃ…裏面，３５…第一務歯チェーン，３５ａ…務歯列，３７…第二務歯チェーン，３７ａ…務歯列，３９…スライダー，３９ａ…引手，５０…裏地，５０ｂ…下縁，５０ｆ…衿下対応縁部，７５…ふき，Ｋ…着物
【図１】
0003230374.tif 000003
【図２】
0003230374.tif 000004
【図３】
0003230374.tif 000005
【図４】
0003230374.tif 000006
【図５】
0003230374.tif 000007
【図６】
0003230374.tif 000008
【図７】
0003230374.tif 000009